(57)【要約】【課題】  磁気タグ等が貼られた旧タイプの書籍からＲＦＩＤタグが貼られた新タイプの書籍に切り替える切替期間における両タイプが混在する図書館において、両タイプの図書貸し出し、返却等の図書管理を行うと共に、新タイプの定量的な切替率を算出し、表示する。【解決手段】  データ書き換え装置30にて貸し出し処理した書籍21に関して、新タイプ、旧タイプの全書籍数：  X０、RFIDが貼られた新タイプの書籍数：  Xbとおけば、新タイプ書籍変換率δbは次の式で表される。  新タイプ書籍変換率δb＝  Xb／X０   この新タイプ書籍変換率の入力データとしてデータ書き換え装置30のデータ書き換え用端末40にて、ＲＦＩＤタグで処理した貸し出し書籍数のデータを利用して算出する。【選択図】    図１
2009199345.tif 000002
【特許請求の範囲】
【請求項１】
検知方式の異なる複数の検知用非接触式タグのうち少なくとも一の検知用非接触式タグを有する対象物の、所定場所の通過を検知する通過検知システムであって、
前記複数種類の検知用非接触式タグのそれぞれの検知方式に基づいて、前記対象物に対して検知用送信を行う送信手段と、
前記送信手段による検知用送信に応じて、前記対象物が有する検知用非接触式タグに対応した応答信号を該対象物から受信する受信手段と、
前記受信手段による受信結果に基づいて、前記対象物の前記場所の通過を検知する検知手段と、
を備え
検知用非接触式タグの検出数を、前記タグの種類毎に積算し、各タグの積算数からタグの利用比率を算出することを特徴とする通過検知システム。
【請求項２】
種類の異なる検知用非接触式タグを対象物の属性に応じて使い分け、当該タグの検出数を、前記タグの種類毎に積算し、各タグの積算数から対象物の利用比率を算出することを特徴とする請求項1項記載の通過検知システム。
【請求項３】
検出方式の異なる複数種類の検知用非接触式タグのうち少なくとも一の検知用非接触式タグを有する対象物の、所定場所の通過を検知する通過検知システムであって、
前記複数種類の検知用非接触式タグのそれぞれの検知方式に基づいて、前記対象物に対して検知用送信を行う送信手段と、
前記送信手段による検知用送信に応じて、前記対象物が有する検知用非接触式タグに対応した応答信号を該対象物から受信する受信手段と、
前記受信手段による受信結果に基づいて、前記対象物の前記所定場所の通過を検知する検知手段とを備え、
種類の異なる検知用非接触式タグを対象物の属性に応じて使い分け、検出されたタグに応じて、通過の許可条件を変えることを特徴とする通過検知システム。
【請求項４】
検出方式の異なる複数種類の検知用非接触式タグのうち少なくとも一の検知用非接触式タグを有する対象物の、所定場所の通過を検知する通過検知システムであって、
前記複数種類の検知用非接触式タグのそれぞれの検知方式に基づいて、前記対象物に対して検知用送信を行う送信手段と、
前記送信手段による検知用送信に応じて、前記対象物が有する検知用非接触式タグに対応した応答信号を該対象物から受信する受信手段と、
前記受信手段による受信結果に基づいて、前記対象物の前記所定場所の通過を検知する検知手段と、
を備え、
種類の異なる検知用非接触式タグを対象物の属性に応じて使い分け、検出されたタグに応じて、当該対象物の持参方向を示す表示手段を有することを特徴とする通過検知システム。
【請求項５】
検出方式の異なる複数種類の検知用非接触式タグのうち少なくとも一の検知用非接触式タグを有する対象物の、所定場所の通過を検知する通過検知システムであって、
前記複数種類の検知用非接触式タグのそれぞれの検知方式に基づいて、前記対象物に対して検知用送信を行う送信手段と、
前記送信手段による検知用送信に応じて、前記対象物が有する検知用非接触式タグに対応した応答信号を該対象物から受信する受信手段と、
前記受信手段による受信結果に基づいて、前記対象物の前記所定場所の通過を検知する検知手段と、
を備え、  
種類の異なる検知用非接触式タグに記載されている属性に応じて使い分け、検出されたタグに応じて、当該対象物の持参方向を示す表示手段を有することを特徴とする通過検知システム。
【請求項６】
複数の異なる図書館を含む複数の書籍を対象に、一の図書館で貸し出し、返却手続きを行うと共に、これらの複数の書籍を対象に、前記特定の場所の通過を検知することを特徴とする請求項１項ないし請求項５項記載の通過検知システム。
【発明の詳細な説明】
【技術分野】
【０００１】
本発明はＲＦＩＤタグ等の複数種類の非接触式タグを利用した対象物の通過を検知するためのシステムに係わり、特に磁気式等のタグを設けた旧タイプの書籍からＲＦＩＤタグを設けた新タイプの書籍の移行期間の複数のタイプが混在した図書館における図書の通過を検知するのに好適に利用できるものである。
【背景技術】
【０００２】
ここで使用するＲＦＩＤ(Radio Frequency Identification)タグとは、情報を記憶したＩＣタグと、その情報を伝送するアンテナで構成されたものを指し、別途設けたリーダライタ(アンテナ＋コントローラ) によりＩＣタグの記憶情報を無線通信を使って読み取ることにより、データ交信を行うものである。
【０００３】
こうしたＲＦＩＤタグや磁気タグを書籍に貼り付け図書管理するものが知られている。例えば特許文献１においては、ＲＦＩＤタグ単独か、このＲＦＩＤタグと磁気タグ、共振タグとを併用した組み合わせタグを書籍に貼り付けたものを対象とし、特に後者の組み合わせタグでは、ＲＦＩＤタグの持つ書籍を複数載置した場合に発生する可能性のある検知ミス等の欠点を補うため他方式との併用を図った内容に係わる。
【０００４】
また、例えば非特許文献１において、ＲＦＩＤ技術を使った図書館システムの多様な応用途と留意点について書かれたものがある。
【０００５】
また、例えば非特許文献２においては、従来の磁気式のタトルテープと新製品としてのＩＣタグを使ったＲＦＩＤを紹介した図書館用管理システムが示されている。
【０００６】
【特許文献１】特表2002-522849号公報
【非特許文献１】辻雅寛、“図書館システムにおけるＲＦＩＤ技術の適用”、INTEC TECHNICAL JOURNAL、第4号、２００５
【非特許文献２】住友スリーエム株式会社技術資料、“ＲＦＩＤを応用した図書館用管理システムを発表”、２００７
【発明の開示】
【発明が解決しようとする課題】
【０００７】
しかし図書館管理システムは元出願(＊)で示したように、従来の共振タグや磁気式タグが貼られた対象物Ａ(図書館管理システムの場合は書籍。ここではこれを旧タイプの書籍と呼ぶ。)の管理から、ＲＦＩＤタグが貼られた対象物Ｂ(これを新タイプの書籍と呼ぶ。)に切り替わっていく過程にある。
(＊)注：  特願2006-226389号公報
【０００８】
この移行過程では、図書館には、対象物毎に貼られたＲＦＩＤを含む異種のタグが混在したものが対象になる。
こうした状況に対処するため、これから新しく造られる図書館管理システムの場合は、全書籍を全てＲＦＩＤタグを貼ったものでシステム構成することが可能である。
【０００９】
しかし、既に旧タイプの書籍を既に所有している大規模図書館にあっては、既所有の旧タイプの書籍を一挙に新タイプにするには、多大なマンパワーと費用を要するため、中々ＲＦＩＤを使った新タイプの書籍の導入ができないと言う問題を有していた。
【００１０】
この問題を解決するため、旧タイプの書籍から新タイプの書籍への移行期間として例えば5年から10年と言ったスパンで、新刊書籍は新タイプで対応するとしても、既に膨大な量を有する旧タイプの書籍に関しては徐々に新タイプの書籍に変えていくといった対応で切り替えていくことが現実的であり、その場合は、移行期間には複数の種類のタグが貼られた書籍が混在して存在することになる。
【００１１】
こうした移行期間の書籍毎に異種のタグの貼られた書籍が混在状態で非接触に一括処理すると言う新しい課題については、上記に取り上げた複数の公知文献では何れも触れておらず、この新しい課題を解決した新図書館管理システムが望まれているにも係わらず、この課題を解決したものは未だ知られていない。
【００１２】
そこで本発明は、旧タイプの書籍と新タイプの書籍が混在した図書館を対象に、両タイプの書籍が混在した状態で、非接触に一括処理する図書館管理システムの利用技術を開示することを目的としている。
【課題を解決するための手段】
【００１３】
上記問題を解決するため、本発明では、検知方式の異なる複数の検知用非接触式タグのうち少なくとも一の検知用非接触式タグを有する対象物の、所定場所の通過を検知する通過検知システムであって、
前記複数種類の検知用非接触式タグのそれぞれの検知方式に基づいて、前記対象物に対して検知用送信を行う送信手段と、
前記送信手段による検知用送信に応じて、前記対象物が有する検知用非接触式タグに対応した応答信号を該対象物から受信する受信手段と、
前記受信手段による受信結果に基づいて、前記対象物の前記場所の通過を検知する検知手段と、
を備え
検知用非接触式タグの検出数を、前記タグの種類毎に積算し、各タグの積算数からタグの利用比率を算出するようにしたものである。
【００１４】
上記通過検知システムでは、種類の異なる検知用非接触式タグを対象物の属性に応じて使い分け、当該タグの検出数を、前記タグの種類毎に積算し、各タグの積算数から対象物の利用比率を算出することが可能となる。
【００１５】
更に、上記通過検知システムでは、検出方式の異なる複数種類の検知用非接触式タグのうち少なくとも一の検知用非接触式タグを有する対象物の、所定場所の通過を検知する通過検知システムであって、
前記複数種類の検知用非接触式タグのそれぞれの検知方式に基づいて、前記対象物に対して検知用送信を行う送信手段と、
前記送信手段による検知用送信に応じて、前記対象物が有する検知用非接触式タグに対応した応答信号を該対象物から受信する受信手段と、
前記受信手段による受信結果に基づいて、前記対象物の前記所定場所の通過を検知する検知手段とを備え、
種類の異なる検知用非接触式タグを対象物の属性に応じて使い分け、検出されたタグに応じて、通過の許可条件を変えることが可能となる。
【００１６】
また、上記通過検知システムでは、検出方式の異なる複数種類の検知用非接触式タグのうち少なくとも一の検知用非接触式タグを有する対象物の、所定場所の通過を検知する通過検知システムであって、
前記複数種類の検知用非接触式タグのそれぞれの検知方式に基づいて、前記対象物に対して検知用送信を行う送信手段と、
前記送信手段による検知用送信に応じて、前記対象物が有する検知用非接触式タグに対応した応答信号を該対象物から受信する受信手段と、
前記受信手段による受信結果に基づいて、前記対象物の前記所定場所の通過を検知する検知手段と、
を備え、
種類の異なる検知用非接触式タグを対象物の属性に応じて使い分け、検出されたタグに応じて、当該対象物の持参方向を示す表示手段を有することが可能となる。
【００１７】
更に、上記通過検知システムでは、検出方式の異なる複数種類の検知用非接触式タグのうち少なくとも一の検知用非接触式タグを有する対象物の、所定場所の通過を検知する通過検知システムであって、
前記複数種類の検知用非接触式タグのそれぞれの検知方式に基づいて、前記対象物に対して検知用送信を行う送信手段と、
前記送信手段による検知用送信に応じて、前記対象物が有する検知用非接触式タグに対応した応答信号を該対象物から受信する受信手段と、
前記受信手段による受信結果に基づいて、前記対象物の前記所定場所の通過を検知する検知手段と、
を備え、
種類の異なる検知用非接触式タグに記載されている属性に応じて使い分け、検出されたタグに応じて、当該対象物の持参方向を示す表示手段を有することが可能となる。
【００１８】
更に、上記通過検知システムでは、複数の異なる図書館を含む複数の書籍を対象に、一の図書館で貸し出し、返却手続きを行うと共に、これらの複数の書籍を対象に、前記特定の場所の通過を検知することができる。
【発明の効果】
【００１９】
以上の説明から明らかなように、この発明に係わる通過検知システムは、下記に示す効果が期待できる。
【００２０】
(1)  本発明は、検知用非接触式タグの検出数を、前記タグの種類毎に積算し、各タグの積算数の時系列の推移を見ることで、ＲＦＩＤタグへの移行がどの程度進んだか、当初の計画に対して結果が遅れているのか進んでいるのかを定量判断することが可能となる。
【００２１】
(2)  また本発明は、例えば重要な書籍にはＲＦＩＤタグを付け、これが付いたものはセキュリティ度を高いものとし、他方一般の図書には磁気タグを付け、これが付いたものはセキュリティ度を低くするといった、書籍の属性の違いによりセキュリティ度を変えて管理することが可能となる。この発明では、例えば本発明で対象とする異種タグの混在する移行期間では、旧タイプの書籍のうち、重要書籍から優先的にＲＦＩＤタグを貼り、一般図書は重要書籍の後回しにするといった運用が可能となる。
【００２２】
(3)  また本発明は、ＲＦＩＤタグに記録されている書籍の属性情報として、重要書籍・一般書籍、美術誌・純文学・雑誌類といった属性の違いにより、返却するカウンタを代えて対応することが可能である。
【００２３】
(4)   また本発明は、ＲＦＩＤタグに記録されている属性情報として、男・女、大人・子供、会社員・学生、老人・幼児といった属性の違いにより、別のカウンタに行ってもらうことにより、例えば老人、子供には、より時間をかけて丁寧に対応することが可能である。
【００２４】
(5)  また本発明は、複数の図書館の書籍を一の図書館で一括して貸し出し、返却、特定場所の通過を行うことが可能となる。
【発明を実施するための最良の形態】
【００２５】
以下この発明を実施するための最良の第1の形態の通過検知システムについて、図1から図４を用いて詳細に説明する。尚、以下に述べる実施の形態の構成は例示であり、本発明は以下の構成に限定されない。
【実施例１】
【００２６】
ここで本発明に係る通過検知システム１は、図1に示す様に、図書館20において、書棚25に収納された書籍21(本発明に係わる対象物に相当する。)の貸し出し返却データ等の更新を行うデータ書き換え装置30(以下貸し出し、返却処理のうち、貸し出し処理で代表させて説明する。)、及びゲート装置７を備えている。
【００２７】
書籍21としては、貸し出し・返却情報を記録・保存するための磁気タグ３、共振タグ２が貼り付けられた旧タイプのものや、貸し出し者の名前、年齢、職業、男女の別と言った属性情報が別の中央処理装置に記録され、この記憶された情報とリンクされたコード情報、貸し出し返却情報、書籍の書誌情報等を記録したＩＣタグ搭載のＲＦＩＤタグ５が貼り付けられた新タイプのものが混在する形で書棚に納められている。
【００２８】
従来からある書籍においては、そのうちＲＦＩＤタグ導入の最初の時点では、新タイプの書籍に比べ旧タイプの書籍の比率が圧倒的に多く、それが時間経過と共に旧タイプの書籍がＲＦＩＤタグへの張替え作業が進展することにより、新タイプの書籍の比率が高くなり、最終的には全てＲＦＩＤタグの付いた新タイプの書籍に置き換わることになる。
【００２９】
他方データ書き換え装置30は、センサ面34、スライド面33を有するデータ書き換え用本体37、バーコード検出手段39を有するデータ書き換え用端末38を備えている。また本発明の最良の形態として示す前記センサ面34には、スライド方向48についてデータ書き換え用本体の外形寸法に略等しい幅寸法を有する磁気センサ32、ＲＦＩＤ用コイル31を配置している。その為スライド面33内に載置された書籍21のデータ書き換えが可能なように構成している。
【００３０】
本例では磁気センサ32、ＲＦＩＤ用コイル31を、いづれもセンサ面33に配置する例として示したが、勿論磁気センサ32、ＲＦＩＤ用コイル31とをこれらセンサ面34と、スライド面33に分けて配置することも可能である。
【００３１】
次に先ず、本発明に係わる最良の形態において、旧タイプの書籍についての貸し出し手順を以下に説明する。
旧タイプの書籍には、貸し出し手続き済み、未を判定する共鳴タグ、磁気タグと、書籍名を含む書誌事項を記録しているバーコード(図示せず。)が貼り付けられている。
【００３２】
従って、貸し出し者、書籍毎の貸し出し、返却予定日等の手続きは、バーコード検出手段39にて書籍毎に行い、又これらの手続きの済み、未の情報は、旧タイプの書籍に設けた磁気タグ３(含む共振タグ２)の貼られた書籍21を、データ書き換え用本体37のスライド面33に複数ある場合は纏めて載置し、磁気センサ32で磁気タグ３を纏めて着磁することで、貸し出し済み(尚、消磁することで貸し出し未として運用)一括処理を行っている。従って、この方法では処理済処理を複数の書籍について纏めて行うことが可能である。
【００３３】
なお着磁された磁気タグ３は、ゲート装置７では既知の技術であるが、検出できないよう、未着磁の磁気タグ３は検出され、手続き未処理の書籍として、アラームを出すよう構成している。
しかし、手続き完了データをこのゲート装置７で検出し、この検出データを用いてゲート通過管理をするように構成することが出来るのは言うまでもない。
【００３４】
旧タイプの書籍に関しては、以上説明した如く、複数ある書籍を纏めて一括して磁気タグを着磁することで貸し出し処理を行うため、処理した旧タイプの書籍数が判らないため、本明細書の後段で、その部分についてはバーコード処理を使った書籍数カウント方法を説明する。
【００３５】
次に新タイプの書籍についての貸し出し手順を以下に説明する。
新タイプの書籍にはＩＣタグ６を搭載したＲＦＩＤタグ５が貼られており、このＲＦＩＤタグに、又はこのＲＦＩＤタグを介して中央処理装置に、貸し出し手続きの内容が記録されているので、この記録情報をゲート装置７で検出することにより、ゲート通過の諾否判定を行うことが出来る。
【００３６】
次に、ＲＦＩＤタグ導入に係わる書籍管理について説明する。
このＲＦＩＤタグの導入開始から完全に導入が完了する期間として、これから新設予定の新規の図書館においては、この図書館に収蔵される全図書を、開館に併せて、上記移行期間を置くことなしに一気に新タイプの書籍とすることが可能である。
【００３７】
しかし従来からある図書館の膨大な量になっている旧タイプの書籍に対しては、収納書籍の規模、図書館の金銭的余裕度等により5年、10年といった移行期間を設定して、徐々にＲＦＩＤタグに置き換えていくことになることが予想される。
【００３８】
本発明は、上記した移行期間においては、旧タイプの書籍と、新タイプの書籍が混在することになるが、この混在する書籍をまとめて非接触で貸し出し、返却処理すると共に、ＲＦＩＤタグへの移行の程度を定量的に把握できるシステムを提供することを意図している。
【００３９】
これを具体的に図を使って説明すると、書棚25には旧タイプの書籍と新タイプの書籍が混在して置かれる可能性が高く、この書棚25から複数の書籍21を取り出し、データ書き換え装置30にて貸し出し処理を行う場合、このデータ書き換え装置30には、前記した元出願で説明したように、両タイプの書籍が混在していても、このデータ書き換え装置30に両タイプの書籍の貸し出し処理機能を備えているので、書籍が旧タイプ、新タイプの如何に係わらず、どちらも一つのデータ書き換え装置30にて処理することができる。
【００４０】
また元出願では書籍21をデータ書き換え用本体37のスライド面33に沿って移動させて貸し出し処理する事例として示したが、このスライド面33内に収まるように書籍21を載置した状態で、これらの書籍に配置されているタグから情報が読み取れる検知範囲を持つように、データ書き換え装置30に内蔵している固定センサ31、32を設定したり、上記読み取れる検知範囲をカバーするように、可動センサ31、32として、必要に応じてこれらのセンサをスキャンさせるように構成することも可能である。
【００４１】
またこのデータ書き換え装置30ではスライド面33内に収まるように複数の書籍21を載置した状態で、まとめて貸し出し処理が出来るように、本例ではスライド面33から上方向に30cm間の検知範囲を設定しており、これにより複数の書籍を単にスライド面33に載置するだけで、纏めて一挙に貸し出しするよう構成している。但し上記した検知範囲は他の値に適宜設定しても本発明はそのまま適用できるのは、いうまでも無い。
【００４２】
本発明は、以上説明したように、データ書き換え装置30にて、旧タイプの書籍と新タイプの書籍とが混在した状態でも、全て貸し出し済み、未の処理をすることが出来る。
【００４３】
次に図書館の出入り口に配置したゲート7についてであるが、書籍21はこのゲート７を介して図書館の内部から外部に持ち出される。
【００４４】
その際、ゲート７のセンサー部３に配置した磁気タグ用のアンテナ部１１にて旧タイプの書籍についての貸し出し処理完了の場合は、前記したように、この書籍の検出が出来ず、貸し出し処理未の場合は、この書籍を検出することにより、貸し出し処理済み、未を検知できる。又ＲＦＩＤタグ用のアンテナ部12にて新タイプの書籍についての貸し出し処理完了の有無を非接触で検知することが出来る。
【００４５】
その結果、例えば複数の書籍21を纏めて、ゲート7にて、図書館から持ち出した全ての書籍21が全て貸し出し処理完了している場合のみ、このゲート７をアラーム無しに通過できるよう構成されている
【００４６】
又これらの図書館から持ち出した複数の書籍21のうち一部の貸し出し処理が未のものが検出された場合は、ゲート７に設けたアラーム装置４が作動するよう構成している。
【００４７】
この場合は、ゲート７を閉じるようにして、書籍21が図書館20から外部に貸し出し処理がされない状態で持ち出されるのを阻止するように構成しても良い。
【００４８】
以上説明したように、本発明の第１の実施の形態においては、図書館20より外部に持ち出される書籍21は、図書館20内にあるデータ書き換え装置30で貸し出し済み、未の処理がなされる。
【００４９】
本発明は、旧タイプとしての磁気タグ(含む共振タグ)を設けた書籍数と、新タイプのＲＦＩＤタグを設けた書籍数に関して、この貸し出し処理を行った処理数を時系列に保存し、例えば日別、月別、年別にタグの種類毎にタグの利用比率を算出している。
【００５０】
ここで新タイプの書籍数については、書籍毎にデータ書き換え用本体37にて書き換えることが出き、その書き換え情報を書籍毎にデータ書き換え用端末に保存しており、この保存データを使って、容易に貸し出し手続きした新タイプの書籍数を求めることが出来る。
【００５１】
他方旧タイプの書籍数については、スライド面33に纏めて載置した複数の本のうち旧タイプの書籍が複数あっても、これらの書籍を纏めて磁気センサ32により着磁を行うため、旧タイプの書籍数をここから求めるのは、原理的に困難である。
【００５２】
そこで本発明では旧タイプの書籍の場合は、この書籍に貼られているバーコードを読み取り、各書籍毎に貸し出し処理を行い、各書籍毎に貸し出し情報をデータ書き換え用端末に保存しているので、ここから旧タイプの書籍の貸し出し処理した書籍数を求めるようにしている。
以下旧タイプ、新タイプについて、貸し出し処理を行った書籍数が求まったとして以下の説明を行う。
【００５３】
一例として年別利用実績を取り上げる。月別のタグの種類別の利用頻度を下記する。
・  磁気タグ(含む共振タグ)貼り付け書籍の貸し出し書籍数    ：  Ｘa
・  ＲＦＩＤタグ貼り付け書籍の貸し出し書籍数：  Ｘb
【００５４】
この場合のタグの種類別年別の利用実績は下記式で与えられる。
・  貸し出し全書籍数X0：  X0＝Xa+Xb
・  磁気タグ貼り付け書籍の貸し出し書籍占有率：  100Xa/ X0
・  ＲＦＩＤタグ貼り付け書籍の貸し出し書籍変換率：  100Xb/ X0
【００５５】
更に本発明の第１の実施の形態として示す例を図5を用いて説明する。例えばＲＦＩＤ導入開始からＲＦＩＤ導入切り替え完了まで１０年の期間を設定し、横軸年度41、縦軸を旧タイプの書籍からＲＦＩＤタグを貼った新タイプの書籍への切り替えをRFIDタグ利用比率43として求め、年度毎の予算44と、実績45を上記の利用比率算出値45を図表示することにより、予算に対する達成率を定量値として算出する様構成している。
【実施例２】
【００５６】
ここで対象物(書籍)の属性として、タグの種類別に利用比率を求める事例を示したが、対象物の別の属性として、例えば雑誌、単行本とか、文芸書、学術書、辞典類とかいった区分に分けて、更にこの区分内を更に“実施例１”に示した事例と同様に、タグ別の利用比率を求めることが出来る。
【００５７】
この場合は、区分別に達成率を定量確認できるため、このデータを元に例えば他の属性に対して導入が遅れている属性に対して重点的に導入に注力すると言った導入計画の見直し等に活用することが出来る。
【実施例３】
【００５８】
本例では例えば人口統計、景気動向、経済白書といった官公庁がまとめた書籍をＲＦＩＤ化するのを先行させることにより、こうした官公庁に関する書籍のセキュリティを向上させ、一般書籍をその後ＲＦＩＤ化するよう運用することも可能である。
【００５９】
本例では重要書籍を一般書籍より先にＲＦＩＤに置き換える事例として示した。しかしこうしたＲＦＩＤ切り替えにリンクさせずに、恒久的に重要書籍にはＲＦＩＤタグを付け、それ以外の一般書籍には磁気タグを付けるといった運用も勿論可能である。
【００６０】
この例についても長いスパンで見ると、一般の書籍もいづれＲＦＩＤタグに切り替わっていくことになるのは言うまでもない。
【実施例４】
【００６１】
次の実施例を図６を使って説明する。本例はゲート７を第１ゲート72と第２ゲート73の２段階とし、第1ゲート72でタグの種類等の属性を検出する。他方第2ゲートを第1カウンタ74、第2カウンタ75といった複数のカウンタで構成し、タグの種類別にどちらのカウンタに行くかを指示するように構成することも可能である。
【００６２】
本例の場合、例えばＲＦＩＤタグを貼り付けた重要書籍が含まれる場合は、よりセキュリティの高い第1カウンタ74に導き、又一般書籍の場合は、よりセキュリティの低い第2カウンタ75に導き、こちらはゲート通過の迅速化を優先させるといった運用を行うことが出来る。
【実施例５】
【００６３】
本発明の別の実施例を以下に示す。
本例の場合は例えばＲＦＩＤタグの貼られた書籍を対象に、このＲＦＩＤタグを介して、中央制御装置に保存してある貸し出し者情報として、男・女、年齢、会社員・学生、老人・成人・未成年・児童といったデータを呼び出し、これらのデータを使って、例えば老人、幼児を第1のカウンタに導き、他は第2のカウンタに導くことにより、老人、幼児により丁寧に対応するよう運用することが可能である。
【００６４】
またはＲＦＩＤタグに、又はこのＲＦＩＤタグを介して中央制御装置に保管してある過去の貸し出し返却履歴データを呼び出し、このデータを使って、過去にトラブルのあった人を第1カウンタ74に、それ以外の人を第2カウンタ75に導くよう運用することも可能である。この場合は過去にトラブルのあった人を重点的に、今後そうしたトラブルが無いよう説得したり、対応如何によっては貸し出しを止める等の運用を行うことも可能となる。
【００６５】
以上、旧タイプの書籍から新タイプの書籍に切り替わる期間では、これらの両タイプの書籍が混在することになるが、こうした混在した書籍の双方に、上記したような貸し出し(含む返却)図書管理や書籍の無断持ち出し防止を図った本発明を適用した通過検知システムを幾つかを実施例を使って説明した。
【実施例６】
【００６６】
こうしたシステム導入に伴い、図書館の利用者の持つ図書館に関係する以外の個人認証を行うＩＣタグを搭載した非接触カードも、本発明で示したデータ書き換え装置30で誤ってそのカードの内容を読み取ったり、又そのカード内のデータを書き替えたり、又ゲート装置７でこのカード内の情報を誤って読み取り、この読み取り情報により誤制御するといった問題が想定される。
【００６７】
この問題を解決する手段としては、例えばバス、電車、スーパ、銀行等で発行するカードと図書間で使用するＲＦＩＤタグ付のカードとは、書き込み、読み出し、伝送といった方式や、電波の使用帯域を変えて混信しないように対処することになるで対処している。
【００６８】
しかし複数の図書館に、同一もしくは類似の通過検知システムが導入された場合は、一の図書館Ａ所蔵の書籍を別の図書館Ｂに持ち込んだ場合は、この書籍に設けたＲＦＩＤタグの情報を、図書館Ｂの通過検知システムが読み取ってしまうことが予測される。
【００６９】
これに対しては、ひとつは一の図書館所蔵の書籍の貸し出し、返却処理を、別の図書館でも行うよう構成することが考えられるが、例えば以下のように構成すること容易に実現することができる。
【００７０】
例えば、書籍に設けたＲＦＩＤタグに個々の図書館を区別する図書館コード50を記録しておき、この図書館コード50を他の図書館でも検出できるようにシステム構築しておけば、次のような運用を行うことが出来る。この事例の一例を図7を用いて簡単に説明する。
【００７１】
ひとつの図書館Ａにある書籍検索端末60(図示せず。)で、利用者が望む書籍の検索を行い、これがこの図書館Ａに無く、別の図書館Ｂにあることが判った場合、この図書館Ｂの図書館コード50を検索して得ると共に書籍の貸し出し手続きを図書館Ａで行い、又この書籍の書誌事項と図書館Ａでの貸し出し処理情報を図書館Ｂに送信することで別の図書館の書籍の貸し出し手続きを行うことができる。(図７の符号54から57に示す手順。)
【００７２】
こうした貸し出し処理は一部では既に実現しているが、この書籍を図書館Ｂから図書館Ａに移送し、利用者は図書館Ａでこの書籍を入手することができる。又は、この貸し出し処理を図書館Ａで済ませたＲＦＩＤタグ付のカードを持参して利用者が図書館Ｂのデータ書き換え装置30にて貸し出し処理すれば、その書籍が図書館Ｂで借りられるよう構成し、この書籍が旧タイプであろうと新タイプであろうと、ゲート７を通過できるように、本発明を利用して運用することができる。
【００７３】
本例で示した事例では、書籍を所蔵する図書館が図書館コードで判るため、例えば書籍の返却についてであるが、本発明を適用すれば、図書館Ａの書籍ａと、別の図書館Ｂの書籍ｂを、まとめて非接触に一括して図書館Ａにて読み取ることができ、他の図書館Ｂの書籍の返却処理も図書館Ａで可能としている。この場合は図書館Ａより書籍ｂを図書館Ｂに送るよう構成することになる。
【００７４】
本例において複数の図書館の書籍には旧タイプ、新タイプの書籍が混在していても、図書館Ａ、図書館Ｂの書籍が混在していても、一の図書館Ａ又は図書館Ｂで纏めて返却処理できるのは言うまでもない。
【００７５】
こうした図書管理システムを実現することにより、現状より格段に利用者の利便改善を図った新システムを提供することができる。
【産業上の利用可能性】
【００７６】
本発明は磁気タグ等を貼り付けた旧タイプの書籍と、ＲＦＩＤタグを貼り付けた新タイプの書籍とが混在する図書館を対象に、混在するタイプの貸し出し、返却処理の必要な産業、及び図書館と外部の境界に配置したゲートでの無断持ち出し防止を行うゲート通過システムの必要な産業に利用される。
【図面の簡単な説明】
【００７７】
【図１】：  本発明を実施するための最良の第1の形態に係わる通過検知システムが適用される図書館の概略を示す説明図。
【図２】：  本発明を実施するための最良の第1の形態に係わる通過検知システムを構成するゲート装置の概略構成斜視図。
【図３】：  本発明を実施するための最良の第1の形態に係わる通過検知システムを構成するゲート装置の説明図。
【図４】：  本発明を実施するための最良の第1の形態に係わる通過検知システムにおいて使用される非接触タグのデータを書き換えるためのデータ書き換え装置の概略構成斜視図。
【図５】：  本発明を実施するための最良の第1の形態に係わる通過検知システムにおいて、ＲＦＩＤタグへの利用比率の推移を示すグラフ図。
【図６】：  本発明を実施するための別の形態に係わる通過検知システムを構成するゲート装置の概略構成斜視図。
【図７】：  別の図書館の書籍の貸し出し処理を行うフロー図。
【符号の説明】
【００７８】
１  通知検知システム
２  共振タグ
３  磁気タグ
４  アラーム装置
５  ＲＦＩＤ用タグ
６  ＩＣタグ
７  ゲート装置
10  端末
11  磁気式タグのアンテンナ部
12  ＲＦＩＤタグ用のアンテナ部
20  図書館
21  書籍
22  ゲート部_右
23  ゲート部_左
25  書棚
30  データ書き換え装置
31  ＲＦＩＤ用コイル
32  磁気センサ
33  スライド面
34  センサ面
35  センサー部_右
36  センサー部_左
37  データ書き換え本体
38  バーコード検出手段
41  年度
42  切替率
43  ＲＦＩＤタグ利用比率
44  予算
45  実算
47  バーコード検出手段
48  スライド方向
50  図書館コード
51〜57  書籍貸し出し各手順
60  書籍検索端末
71  中央演算処理装置
72  第1ゲート
73  第2ゲート
74  第1カウンタ
75  第2カウンタ
77  中央演算処理装置
【図１】
2009199345.tif 000003
【図２】
2009199345.tif 000004
【図３】
2009199345.tif 000005
【図４】
2009199345.tif 000006
【図５】
2009199345.tif 000007
【図６】
2009199345.tif 000008
【図７】
2009199345.tif 000009